(57)【要約】【課題】図柄表示装置の内部に設けられた部品および図柄表示装置の外側に配置された部品を冷却する。【解決手段】回胴４５の回転する動力がローラ７５、プーリ７８、ベルト７９、プーリ６７、傘歯車６６；７３、軸７１を経由して冷却ファン７２に伝達され、冷却ファン７２が矢印Ｘ５で示す冷却風を発生し、この冷却風が冷却孔８０を経由して、側壁３８と回胴４５との間における隙間から回胴４５の内部に導かれてステップモータ４４を冷却し、回胴４５の回転する動力が傘歯車６６、軸６５、傘歯車６８；６３、軸６１を経由して冷却ファン６２に伝達され、冷却ファン６２が矢印Ｘ４で示す冷却風を発生し、この冷却風が前扉を閉じた状態において表示筐体３７の外側で前側に配置された部品としての状況表示部に表示する情報を形成する液晶表示器を冷却する。【選択図】図２
2006223349.tif 000002
【特許請求の範囲】
【請求項１】
遊技筐体の内部に設置される図柄表示装置における表示筐体の内部にステップモータで無端状の図柄表示体を回転する表示ユニットを備え、図柄表示装置には冷却装置が表示ユニットに対応して設けられ、冷却装置は、図柄表示体を支持してステップモータで回転される輪体に接触して回転するローラと、ローラの回転によって冷却対象部品に対する冷却風を発生する冷却ファンとを備えたことを特徴とする遊技機の冷却装置。
【請求項２】
冷却ファンが、ステップモータに対する冷却風を発生する冷却ファンと、ローラの回転によって前扉を閉じた状態において表示筐体の外側に配置された部品に対する冷却風を発生する冷却ファンとにより構成されたことを特徴とする請求項１記載の遊技機の冷却装置。
【請求項３】
ローラから冷却ファンに回転方向を変えて動力を伝達する動力伝達機構が、傘歯車と傘歯車とによる機構により構成されたことを特徴とする請求項１記載の遊技機の冷却装置。
【発明の詳細な説明】
【技術分野】
【０００１】
本発明は、図柄表示装置の内部に設けられた部品および図柄表示装置の外側に配置された部品を冷却することができる遊技機の冷却装置に関する。
【背景技術】
【０００２】
図３乃至図６は、従来公知のスロットマシンである。図３は、前扉３を閉じたスロットマシンの前側からの外観を示す。図４は、前扉３を矢印Ｘ１の方向に開いたスロットマシンの外観を示す。図５は、図柄表示装置１０の前側からの外観を示す。図６は、１つの表示ユニットを切断した断面を示す。この明細書において、「前」、「後」、「裏」、「左」、「右」、「上」、「下」の方向は、図３の状態に遊技筐体１を置いて矢印Ａで示す前側から見た場合に特定される方向である。「後」と「裏」とは同じ方向である。
【０００３】
図３を参照し、スロットマシンの前側の構造について説明する。スロットマシンの遊技筐体１は、前側にだけ開口した四角な箱形の形状である。遊技筐体１の左右側壁には、取手部２が遊技筐体１を運搬する場合に手を掛けるための孔として設けられる。遊技筐体１の前面には、前扉３が設けられる。前扉３には、状況表示部４、図柄表示部５、情報表示部６、操作台７、機種表示部８、受皿９が、上から下に順に設けられる。状況表示部４は、遊技の状況に関する情報を、遊技者に知らせるために、電気的に表示するものである。図柄表示部５は、図柄表示部５の内側に配置された図柄表示装置１０の図柄を遊技者に見せる光透過性合成樹脂により形成される。情報表示部６は、掛数やメダルの予納枚数および当たりの結果の賞として払い出されるメダル枚数などの状況を、遊技者に知らせるために、数値として電気的に表示するものである。操作台７は、遊技者により操作される部品を集中的に設けるものである。機種表示部８は、スロットマシンの種類や製造者名および販売の許可されたことを示す証紙を、遊技者に知らせるために表示するものである。受皿９は、遊技媒体としてのメダルを受ける部分である。受皿９の左側には灰皿１１が併設される。
【０００４】
操作台７の外面の１つである上面には、掛数操作部１２、精算操作部１３、最大掛数操作部１４、メダル投入部１５が、左から右に順に設けられる。掛数操作部１２は、１回の遊技に対する掛数を設定するために、遊技者が操作するものである。精算操作部１３は、メダル投入部１５から遊技用や予納用として遊技筐体１の内部に投入されたメダルを受皿９に電気的に返却させるために、遊技者が操作するものである。メダル投入部１５は、遊技用や予納用としてのメダルを遊技者が遊技筐体１の内部に投入するためのものである。最大掛数操作部１４は、１回の遊技に対する掛数を最大に設定するために、遊技者が操作するものである。操作台７の外面の１つである前面には、遊技開始操作部１６、複数の図柄停止操作部１７、返却操作部１８、施錠装置１９が、左から右に順に設けられる。遊技開始操作部１６は、スロットマシンの１回の遊技開始として、図柄表示装置１０における複数の図柄の変動を開始させるために、遊技者が操作するものである。図柄停止操作部１７は、スロットマシンの１回の遊技停止として、図柄表示装置１０の変動している複数の図柄を個別に停止させるために、遊技者が操作するものである。返却操作部１８は、メダル投入部１５から遊技筐体１の内部に投入されて図４のメダル選別機３３にひっかかったメダルを受皿９に機械的に返却させるために、遊技者が操作するものである。施錠装置１９は、前扉３を開閉するために、遊技店の店員が操作するものである。
【０００５】
図４を参照し、スロットマシンの内部の構造について説明する。前扉３の左側部が、遊技筐体１の左側部にヒンジ２０で連結される。前扉３は、ヒンジ２０を中心として遊技筐体１の前側で前側に開けられたり後側に閉じられたりするように、片開きされる。前扉３の右側部には、係合部２１が設けられる。店員が前扉３を矢印Ｘ２の方向に押して閉じた場合、係合部２１が遊技筐体１の図外の掛止部に係合して前扉３を開閉不能に支持する。その状態において、店員が図３の施錠装置１９に図外の鍵を挿入して施錠装置１９を操作すると、係合部２１が掛止部から解除される。そして、店員が前扉３を矢印Ｘ１で示す前側に引くと、前扉３が開放される。
【０００６】
遊技筐体１の前側に開口した内部空間には、上段２２に制御装置２３が設けられ、中段２４に図柄表示装置１０が設けられ、下段２５に電源装置２６、ホッパー２７、予備箱２８が左から右に順に設けられる。ホッパー２７は、当たりの結果の賞として払い出すメダルを貯蔵するものであって、メダルを払い出すための図外の払出機を内蔵する。払出機により払い出されたメダルは、ホッパー２７に形成された払出口２９から前扉３の裏面に設けられた受口３０を経由して受皿９に払い出される。予備箱２８は、ホッパー２７から溢れたメダルを貯めたり、ホッパー２７に補給するメダルを予備的に入れたりする種類がある。ホッパー２７から溢れたメダルを貯める種類の予備箱２８には、ホッパー２７から溢れて貯められたメダルが一定量になることを感知するセンサが設けられる。電源装置２６の前側に向けられた前面には、店員による操作を行いやすいように、電源操作部３１やリセット操作部３２が設けられる。開放された前扉３の裏面には、メダル選別機３３、メダル検出機構３４、メダル返却樋３５、メダル格納樋３６が設けられる。メダル選別機３３は、図３のメダル投入部１５から投入されたメダルをメダルの直径で正常か異常かを選別し、直径の正常なメダルだけをメダル検出機構３４に送り、正常のものより直径の大きなメダルをメダル検出機構３４に送らないようにひっかけて留置し、正常のものより直径の小さなメダルをメダル検出機構３４に送らないように下方のメダル返却樋３５に落下させるものである。メダル検出機構３４は、メダル選別機３３から送られてきたメダルを電気的に検出したメダル検出信号を制御装置２３に出力する。制御装置２３は、メダル検出機構３４から入力されたメダル検出信号を投入メダル個数として電気的に計数（カウントアップ）し、カウントアップした値（カウントアップ値；計数値）を投入メダル個数としてメモリに記憶する。メダル返却樋３５は、メダル選別機３３から異常なメダルとして落下したメダルを受け取って受皿９に排出する。メダル返却樋３５の裏面には受口３０が設けられる。メダル格納樋３６は、メダル検出機構３４を通過したメダルをホッパー２７に落下させるものである。
【０００７】
図５を参照し、図柄表示装置１０の構造について説明する。図柄表示装置１０の表示筐体３７は、前側に開口した四角な箱形の形状である。表示筐体３７の内部には、複数の側壁３８が、左右方向に離れて互いに平行に設けられたことによって、前側に開口した四角な内部空間３９が、相対峙する一対の側壁３８と表示筐体３７の上壁４０と下壁４１および後壁４２によって、複数形成される。内部空間３９には、表示ユニット４３が個別に配置される。
【０００８】
図６を参照し、１つの表示ユニット４３の構造について説明する。表示ユニット４３は、ステップモータ４４、回胴４５、図柄表示体４６を備える。ステップモータ４４は、内部空間３９を形成する相対峙する一対の側壁３８の一方に固定される。回胴４５は、図柄表示体４６を支持する輪体を構成するものであって、取付部４８と支持部４９および複数のアーム５０を備える。取付部４８は、回胴４５の回転中心を構成し、出力軸４７に取り付けられる部分である。取付部４８と、支持部４９は、図柄表示体４６を支持するものであって、取付部４８を中心とする円形を構成する。複数のアーム５０は、取付部４８から放射状に突出し、取付部４８と支持部４９とをつなぐ部分である。図柄表示体４６は、支持部４９の円形な外周面に取り付けられた円形な無端状である。そして、ステップモータ４４が駆動すると、回胴４５が出力軸４７の回転によって周方向に回転し、図柄表示体４６が回胴４５の回転によって周方向に回転する。表示ユニット４３には冷却装置５１が設けられる。冷却装置５１の冷却ファン５２は、出力軸４７に、ステップモータ４４と取付部４８との間に位置して取り付けられる。しかしながら、冷却ファン５２が出力軸４７に取り付けられ、冷却ファン５２の回転数が出力軸４７の回転数と同じに固定された構造であるので、冷却ファン５２による冷却性能が悪いという欠点がある。そこで、冷却ファン５２による冷却性能を向上するために、冷却ファン５２の回転数を上げて、冷却ファン５２による送風量を多くするには、出力軸４７と冷却ファン５２とを増速機構で連結しなればならず、構造が複雑となるので、にわかに採用しがたい。
【特許文献１】特開２００３−２２５３４２号公報
【発明の開示】
【発明が解決しようとする課題】
【０００９】
発明が解決しようとする問題点は、冷却ファンによる冷却性能が悪いという点である。
【課題を解決するための手段】
【００１０】
本発明に係る遊技機の冷却装置は、遊技筐体の内部に設置される図柄表示装置における表示筐体の内部にステップモータで無端状の図柄表示体を回転する表示ユニットを備え、図柄表示装置には冷却装置が表示ユニットに対応して設けられ、冷却装置は、図柄表示体を支持してステップモータで回転される輪体に接触して回転するローラと、ローラの回転によって冷却対象部品に対する冷却風を発生する冷却ファンとを備えたことを最も主要な特徴とする。冷却ファンがステップモータに対する冷却風を発生する冷却ファンとローラの回転によって前扉を閉じた状態において表示筐体の外側に配置された部品に対する冷却風を発生する冷却ファンとにより構成されたり、ローラから冷却ファンに回転方向を変えて動力を伝達する動力伝達機構が、傘歯車と傘歯車とによる機構により構成されたりしてもよい。
【発明の効果】
【００１１】
本発明に係る遊技機の冷却装置は、冷却ファンを回転するローラが図柄表示体を支持してステップモータで回転される輪体に接触して回転する構造であるので、ローラの直径を輪体の直径よりも小さく形成することによって、冷却ファンの回転数が出力軸の回転数より多くなり、冷却ファンによる送風量が多くなり、冷却ファンによる冷却性能を向上することができるうえ、冷却ファンがステップモータの出力軸に設けて回転する構造、または、冷却ファンを回転する出力軸にローラ接触して回転する構造に比べ、ローラを回転する輪体のトルクが大きく、ステップモータへの負荷を軽減できるという利点がある。冷却ファンが、ステップモータに対する冷却風を発生する冷却ファンと、ローラの回転によって前扉を閉じた状態において表示筐体の外側に配置された部品に対する冷却風を発生する冷却ファンとにより構成されれば、ステップモータに対する冷却ファンにより発生された冷却風が、ステップモータを冷却し、前扉を閉じた状態において表示筐体の外側に配置された部品に対する冷却ファンにより発生された冷却風が、前扉を閉じた状態における表示筐体の外側に配置された部品を適切に冷却することができるという利点がある。ローラから冷却ファンに回転方向を変えて動力を伝達する動力伝達機構が、傘歯車と傘歯車とによる機構により構成されれば、プーリとベルトとによる機構に比べ、回転方向が変る動力伝達機構の構造が簡単になるという利点がある。
【発明を実施するための最良の形態】
【００１２】
図１および図２は、発明を実施するための最良の形態である。図１は、前扉３を矢印Ｘ１の方向に開いたスロットマシンの外観を示す。図２は、遊技機の冷却装置５１を示す。
【００１３】
図１を参照し、遊技機の冷却装置５１の構造について説明する。図柄表示装置１０における表示ユニット４３としては、ステップモータ４４で回胴４５を回転させるドラムタイプを例示する。図柄表示装置１０には、冷却装置５１が表示ユニット４３に対応して個別に設けられる。
【００１４】
図２を参照し、１つの冷却装置５１における内部の構造について説明する。表示筐体３７の上壁４０には、支持躯体５５；５６；５７；５８が、上壁４０より上方に突出して、固定的に取り付けられる。支持躯体５５は、一対の側壁５９および傾斜壁６０を備える。一対の側壁５９は、回胴４５の回転中心が延びる方向と平行な左右方向に相対峙する。一対の側壁５９の下部が上壁４０の上面に結合されることによって、支持躯体５５が上壁４０に取り付けられる。傾斜壁６０は、一対の側壁５９の上縁部を互いにつなぐ。図柄表示装置１０を前側から見た場合、傾斜壁６０は、前側から後側に行くにしたがって上り勾配となる斜面を形成する。傾斜壁６０には、軸６１が斜面と直交する方向に貫通し、周方向に回転可能に取り付けられる。軸６１の傾斜壁６０よりも上方に突出した上部には、冷却ファン６２が固定的に取り付けられる。冷却ファン６２は、回転することによって、上壁４０から上方かつ前側に離れる矢印Ｘ４で示す方向の冷却風を発生する。矢印Ｘ４で示す冷却風は、冷却対象部品として表示筐体３７の外側に配置された部品として図１の状況表示部４に表示する情報を電気的に形成する液晶表示器のような画像表示器やその他の部品など、図柄表示装置１０の外側でかつ前側に配置されて図１の遊技筐体１の内部に設けられる部品を冷却する。軸６１の傾斜壁６０よりも下方に突出した下部には、傘歯車６３が固定的に取り付けられる。
【００１５】
支持躯体５６；５７は、一対の側壁５９と同じ方向に相対峙する。支持躯体５６の下部が上壁４０の上面に結合されることによって、支持躯体５６が上壁４０に取り付けられる。支持躯体５７は、ステップモータ４４の取り付けられる側壁３８から延設される。支持躯体５６；５７には、軸６５が左右方向に貫通し、周方向に回転可能に取り付けられる。軸６５における支持躯体５６；５７の間に位置する部分には、傘歯車６６およびプーリ６７が固定的に取り付けられる。傘歯車６６およびプーリ６７は、互いに一体になっている。軸６５の支持躯体５６から支持躯体５５の方向に延びた部分は、支持躯体５５の側壁５９を回転可能に貫通する。この軸６５における側壁５９を回転可能に貫通した部分には、傘歯車６３と噛み合う傘歯車６８が固定的に取り付けられる。
【００１６】
支持躯体５８は、支持躯体５５乃至５７よりも後側に位置する。支持躯体５８の下部が上壁４０の上面に結合されることによって、支持躯体５８が上壁４０に取り付けられる。支持躯体５８は、傾斜壁７０を備える。図柄表示装置１０を前側から見た場合、傾斜壁７０は、前側から後側に行くにしたがって下り勾配となる斜面を形成する。傾斜壁７０には、軸７１が斜面と直交する方向に貫通し、周方向に回転可能に取り付けられる。軸７１の傾斜壁７０よりも下方に突出した部分には、冷却ファン７２が固定的に取り付けられる。冷却ファン７２は、回転することによって、上壁４０の上方から上壁４０に近づく矢印Ｘ５で示す方向の冷却風を発生する。矢印Ｘ５で示す冷却風は、冷却対象部品として表示筐体３７の内部に設けられたステップモータ４４を冷却する。
【００１７】
軸７１の冷却ファン７２よりも下方に突出した下部には、傘歯車７３が固定的に取り付けられる。傘歯車７３は、傘歯車６６と噛み合う。ステップモータ４４の取り付けられた側壁３８には、ローラ７５が軸７６で回転可能に取り付けられる。ローラ７５におけるゴムのような摩擦部材からなる外周面は、回胴４５における図柄表示体４６の外周面よりも径方向外側に突出したリム７７の外周面に接触する。これによって、回胴４５が回転するのに伴い、ローラ７５が回転する。軸７６にはプーリ７８が装着される。プーリ７８は、ローラ７５に固定的に取り付けられる。プーリ６７；７８には、無端状のベルト７９が掛け渡される。上壁４０には、冷却孔８０が形成される。冷却孔８０は、冷却ファン７２により発生された矢印Ｘ５で示す冷却風を回胴４５の方向に取り込むために、上壁４０に上下方向への貫通孔として形成された孔である。
【００１８】
したがって、冷却装置５１では、回胴４５の回転する動力が、ローラ７５、プーリ７８、ベルト７９、プーリ６７、傘歯車６６；７３、軸７１を経由して冷却ファン７２に伝達され、冷却ファン７２が回転して矢印Ｘ５で示す冷却風を発生する。冷却ファン７２により発生された冷却風は、冷却孔８０を経由して、ステップモータ４４の取り付けられた側壁３８と回胴４５との間における隙間を通過して回胴４５の内部に導かれてステップモータ４４を冷却する。また、回胴４５の回転する動力が、傘歯車６６、軸６５、傘歯車６８；６３、軸６１を経由して冷却ファン６２に伝達され、冷却ファン６２が回転して矢印Ｘ４で示す冷却風を発生する。
【００１９】
要するに、冷却ファン７２により発生された矢印Ｘ５で示す冷却風が、図柄表示装置１０における内部の部品としてのステップモータ４４を冷却し、冷却ファン６２により発生された矢印Ｘ４で示す冷却風が、前扉３を閉じた状態において表示筐体３７の外側で前側に配置された部品としての状況表示部４に表示する情報を形成する液晶表示器のような画像表示器やその他の部品などの部品を適切に冷却することができるという利点がある。冷却ファン６２；７２を回転するためのローラ７５が回胴４５に接触して回転するので、冷却ファン６２；７２を回転するためのローラ７５がステップモータ４４の出力軸４７に接触して回転する構造に比べ、ローラ７５を回転する回胴４５のトルクが大きく、ステップモータ４４への負荷を軽減できるという利点がある。回転方向が変る動力伝達機構として、傘歯車６３と傘歯車６８とによる機構、傘歯車６６と傘歯車７３とによる機構を採用したので、プーリとベルトとによる機構に比べ、回転方向が変る動力伝達機構の構造が簡単であるという利点がある。
【産業上の利用可能性】
【００２０】
表示ユニット４３は、無端状の図柄表示体４６が、ステップモータ４４で駆動する駆動輪と、ステップモータ４４の取り付けられる側壁３８に回転可能に支持した従動輪とに掛け渡されたリールタイプでも適用できる。この場合、駆動輪および従動輪が図柄表示体４６を回転する輪体を構成する。遊技機としては、パチンコ遊技機でもよい。冷却装置５１としては、冷却ファン６２を取り除き、冷却ファン７２だけの構造でもよい。この場合、、軸７１、傘歯車６６；７３は設けなくてもよい。また、冷却装置５１としては、冷却ファン７２を取り除き、冷却ファン６２だけの構造でもよい。この場合、支持躯体５５、軸６１、傘歯車６６；７３は設けなくてもよい。
【図面の簡単な説明】
【００２１】
【図１】前扉の開けられたスロットマシンを示す斜視図（最良の形態）。
【図２】遊技機の冷却装置を示す斜視図（最良の形態）。
【図３】前扉の閉じられたスロットマシンを示す斜視図（従来）。
【図４】前扉の開けられたスロットマシンを示す斜視図（従来）。
【図５】図柄表示装置を示す斜視図（従来）。
【図６】１つの表示ユニットを示す縦断面図（最良の形態）。
【符号の説明】
【００２２】
１  遊技筐体、３  前扉、１０  図柄表示装置、３７  表示筐体、４３  表示ユニット、４４  ステップモータ、４５  回胴（輪体）、４６  図柄表示体、５１  冷却装置、
６２  冷却ファン、６３  傘歯車、６６  傘歯車、６８  傘歯車、
７２  冷却ファン、７３  傘歯車、７５  ローラ
【図１】
2006223349.tif 000003
【図２】
2006223349.tif 000004
【図３】
2006223349.tif 000005
【図４】
2006223349.tif 000006
【図５】
2006223349.tif 000007
【図６】
2006223349.tif 000008